(57)【要約】【課題】柱のコンクリートを打設した際に、コンクリートのノロが梁底型枠の上を流れて梁側に流出するのを低コストで防止でき、かつ、鉛直打ち継ぎ面でコンクリートを容易に打ち継ぎできる梁構造を提供すること。【解決手段】コンクリート造の梁４は、コンクリート造の柱２に接合される。この梁４は、梁端部の梁底部分に、梁幅方向に延びて形成された先行コンクリート体３０と、先行コンクリート体３０の上を打ち継ぎ面３１としてコンクリートを打設して形成された後打ちコンクリート体３２と、を備える。梁４の下側主筋２０は、先行コンクリート体３０に打ち込まれている。【選択図】図１
2018127804.tif 000002
【特許請求の範囲】
【請求項１】
コンクリート造の柱に接合されるコンクリート造の梁の構造であって、
梁端部の梁底部分に、梁幅方向に延びて形成された先行コンクリート体と、
当該先行コンクリート体の上を打ち継ぎ面としてコンクリートを打設して形成された後打ちコンクリート体と、を備え、
前記梁の下側主筋は、前記先行コンクリート体に打ち込まれている、あるいは、前記先行コンクリート体の上に載置されることを特徴とする梁構造。
【請求項２】
コンクリート造の柱に接合されるコンクリート造の梁の構築方法であって、
当該梁の主筋およびせん断補強筋を配筋する工程と、
前記梁の梁端部の梁底部分にコンクリートを打設して、先行コンクリート体を形成するとともに、当該先行コンクリート体の上で前記せん断補強筋の内側に、埋め殺しの型枠を取り付け、かつ、前記先行コンクリート体の上で前記せん断補強筋の外側に、鉛直方向に延びる棒状の打ち継ぎ型枠を取り付ける工程と、
前記埋め殺しの型枠および前記打ち継ぎ型枠で構成される面を打ち継ぎ面として、当該打ち継ぎ面の前記梁側にコンクリートを打設して、後打ちコンクリート体を形成する工程と、を備えることを特徴とする梁の構築方法。
【請求項３】
前記後打ちコンクリート体を形成する工程の前に、前記埋め殺しの型枠および前記打ち継ぎ型枠を打ち継ぎ面として、当該打ち継ぎ面の前記柱側にコンクリートを打設する工程をさらに備え、
前記後打ちコンクリート体を形成する工程では、前記棒状の打ち継ぎ型枠を取り外して、その後、前記打ち継ぎ面の前記梁側にコンクリートを打設して後打ちコンクリート体を形成することを特徴とする請求項２に記載の梁の構築方法。
【発明の詳細な説明】
【技術分野】
【０００１】
本発明は、コンクリート造の柱に接合されるコンクリート造の梁の構造、および、その梁の構築方法に関する。
【背景技術】
【０００２】
従来より、鉄筋コンクリート造の建物において、柱と梁とでコンクリートの強度が異なる場合がある。この場合、柱のコンクリート打設時に、コンクリートのノロ（セメントペースト）が梁側に流出するのを防止する必要がある。
【０００３】
特許文献１には、柱と梁およびスラブとで異なる性状のコンクリートを打設して打継ぎする場合において、柱側から所定寸法離れた位置の梁床を切除した矩形状の開口を設け、この切除した矩形状の梁床切取片を柱側に向けて起立した梁床のノロ止めを設ける。さらに、コンクリート打継部にエアーフェンスや型枠ラス、金属板等のコンクリート止めを配設したコンクリート打継のノロ止め構造が示されている。
【０００４】
特許文献２には、コンクリートの打ち継ぎのため型枠に設置するコンクリート堰止め装置が示されている。このコンクリート堰止め装置は、複数枚の板部材から成る堰止め板と、堰止め板を梁型枠内に側面からセットするためのスリットが形成されたガイド部材と、を含んで構成されている。
【０００５】
特許文献３には、高流動コンクリートを鉛直面で打ち継ぐか、打ち足すに際し、打ち継ぎ部または打ち足し部に網目を有する止め型枠を固定するとともに、その背面に梁主筋を避けて鋼板を当てた後、高流動コンクリートを打ち込む高流動コンクリートの打ち止め方法が示されている。
【０００６】
しかしながら、特許文献１のノロ止め構造では、梁底の型枠に開口を設けて加工するため、施工手間がかかる、という問題があった。
また、特許文献２のコンクリート堰止め装置では、スリットから挿入した複数の板部材同士の間に隙間が生じるため、コンクリートが打ち継ぎ面から漏れてしまう、という問題があった。
また、特許文献３の高流動コンクリートの打ち止め方法では、梁底の梁鉄筋のかぶり部分で隙間が生じる、という問題があった。この隙間をなくすためには、打継部ごとに精度良く鋼板を加工する必要があるため、費用がかかっていた。
【先行技術文献】
【特許文献】
【０００７】
【特許文献１】特許第５８９３７９２号公報
【特許文献２】特開２００４−１３７６９３号公報
【特許文献３】特開２０００−２７４３９号公報
【発明の概要】
【発明が解決しようとする課題】
【０００８】
本発明は、柱のコンクリートを打設した際に、コンクリートのノロ（セメントペースト）が梁底型枠の上を流れて梁側に流出するのを低コストで防止でき、かつ、鉛直打ち継ぎ面でコンクリートを容易に打ち継ぎできる、梁構造および梁の構築方法を提供することを目的とする。
【課題を解決するための手段】
【０００９】
本発明者らは、柱に接合される梁構造として、梁端の梁底部分に、梁の下側主筋の一部が埋設された先行コンクリート体を設け、その先行コンクリート体の上面に、堰き止め型枠（例えば、埋め殺し型枠や打ち継ぎ型枠）を設置し、堰き止め型枠を境に柱梁接合部側を先行してコンクリート打設することで、柱梁接合部側に打設されたコンクリートのノロが梁側に流出するのを容易にかつ低コストで防止できることに着眼して、本発明の梁構造および梁の構築方法を発明するに至った。
【００１０】
第１の発明の梁構造は、コンクリート造の柱（例えば、後述の柱２）に接合されるコンクリート造の梁（例えば、後述の梁４）の構造であって、梁端部の梁底部分に、梁幅方向に延びて形成された先行コンクリート体（例えば、後述の先行コンクリート体３０、３０Ａ）と、当該先行コンクリート体の上を打ち継ぎ面（例えば、後述の打ち継ぎ面３１）としてコンクリートを打設して形成された後打ちコンクリート体（例えば、後述の後打ちコンクリート体３２）と、を備え、前記梁の下側主筋（例えば、後述の下側主筋２０）は、前記先行コンクリート体に打ち込まれている、あるいは、前記先行コンクリート体の上に載置されることを特徴とする。
【００１１】
この発明によれば、まず、梁端部の梁底部分に先行コンクリート体を設け、次に、この先行コンクリート体の上の柱梁接合部側にコンクリート（後述、図３のＳ２）を打設する。その後、先行コンクリート体の上の梁側にコンクリートを打設して、後打ちコンクリート体を設け、梁を形成する。よって、柱のコンクリートを打設時に、コンクリートのノロが梁側に流出するのを防止できる。また、梁底の型枠を加工しないので、低コストとなる。また、先行コンクリート体とその上の鉛直打ち継ぎ面で容易に打ち継ぎされた後打ちコンクリート体とで形成された梁構造を実現できる。
【００１２】
第２の発明の梁の構築方法は、コンクリート造の柱に接合されるコンクリート造の梁の構築方法であって、当該梁の主筋（例えば、後述の下側主筋２０、上側主筋２１）およびせん断補強筋（例えば、後述のあばら筋２２、２２Ａ）を配筋する工程（例えば、後述のステップＳ１１）と、前記梁の梁端部の梁底部分にコンクリートを打設して、先行コンクリート体（例えば、後述の先行コンクリート体３０）を形成するとともに、当該先行コンクリート体の上で前記せん断補強筋（例えば、後述のあばら筋２２Ａ）の内側に、埋め殺しの型枠（例えば、後述の埋め殺し型枠５０）を取り付け、かつ、前記先行コンクリート体の上で前記せん断補強筋の外側に、鉛直方向に延びる棒状の打ち継ぎ型枠（例えば、後述の打ち継ぎ型枠５６）を取り付ける工程（例えば、後述のステップＳ１２〜Ｓ１７）と、前記埋め殺しの型枠および前記打ち継ぎ型枠で構成される面を打ち継ぎ面（例えば、後述の打ち継ぎ面３１）として、当該打ち継ぎ面の梁側にコンクリートを打設して、後打ちコンクリート体（例えば、後述の後打ちコンクリート体３２）を形成する工程（例えば、後述のステップＳ３）と、を備えることを特徴とする。
ここで、打ち継ぎ面の梁側とは、打ち継ぎ面の梁中央側のことである。
【００１３】
この発明によれば、まず、梁端部の梁底部分に先行コンクリート体を設ける。次に、この先行コンクリート体の上に埋め殺しの型枠および打ち継ぎ型枠を取り付けて、この埋め殺しの型枠および打ち継ぎ型枠で構成される面を打ち継ぎ面として柱梁接合部側にコンクリートを打設する。その後、打ち継ぎ面の梁側（梁中央側）にコンクリートを打設して、後打ちコンクリート体を設け、梁を形成する。よって、柱のコンクリートを打設時に、コンクリートのノロが梁側に流出するのを防止できる。また、先行コンクリート体を設置することで、梁底の型枠を加工することなく、柱に打設されたコンクリートのノロが梁側に流出するのを容易かつ低コストで防止できる。また、先行コンクリート体とその上の鉛直打ち継ぎ面でコンクリートを容易に打ち継ぎできる。
【００１４】
第３の発明の梁の構築方法は、前記後打ちコンクリート体を形成する工程の前に、前記埋め殺しの型枠および前記打ち継ぎ型枠を打ち継ぎ面として、当該打ち継ぎ面の前記柱側にコンクリートを打設する工程（例えば、後述のステップＳ２）をさらに備え、前記後打ちコンクリート体を形成する工程では、前記棒状の打ち継ぎ型枠を取り外して、その後、前記打ち継ぎ面の前記梁側にコンクリートを打設して後打ちコンクリート体を形成することを特徴とする。
【００１５】
この発明によれば、せん断補強筋の外側つまりせん断補強筋のかぶり部分から打ち継ぎ型枠を取り外した後に、打ち継ぎ面の梁側にコンクリートを打設して後打ちコンクリート体を形成する。よって、梁のかぶり部分と柱との打ち継ぎ面に腐食する可能性のある金属を打ち込むことなく、梁主筋およびせん断補強筋について所定のかぶり厚さを確保できる。また、梁のかぶり厚さ部分に金属製の埋め殺し型枠が存置されないため、梁のコンクリートの健全性を確保できる。
【発明の効果】
【００１６】
本発明によれば、梁端の梁底部分に先行コンクリート体を設けることで、柱に打設されたコンクリートノロの梁側への流出を容易にかつ低コストで防止し、先行コンクリート体とその上の鉛直打ち継ぎ面で打ち継ぎされた後打ちコンクリート体とで形成された梁構造および梁の構築方法を実現できる。
【図面の簡単な説明】
【００１７】
【図１】本発明の第１実施形態に係る柱と梁の接合構造の縦断面図である。
【図２】図１のＡ−Ａ断面図である。
【図３】接合構造の構築方法の概略フローチャートである（第１実施形態）。
【図４】接合構造の構築方法の詳細フローチャートである（第１実施形態）。
【図５】接合構造の構築方法を説明する平面図およびＢ−Ｂ断面図である。
【図６】図５のＣ−Ｃ断面図およびＤ−Ｄ断面図である。
【図７】接合構造の構築方法を説明する平面図およびＥ−Ｅ断面図である。
【図８】接合構造の構築方法を説明する平面図およびＦ−Ｆ断面図である。
【図９】本発明の第２実施形態に係る柱と梁との接合構造の縦断面図である。
【図１０】接合構造の構築方法の概略フローチャートである（第２実施形態）。
【図１１】接合構造の構築方法の詳細フローチャートである（第２実施形態）。
【図１２】接合構造の構築方法を説明する平面図およびＧ−Ｇ断面図である。
【図１３】接合構造の構築方法を説明する平面図およびＨ−Ｈ断面図である。
【発明を実施するための形態】
【００１８】
本発明は、柱に接合される梁構造として、梁端の梁底部分に先行コンクリート体を設け、その先行コンクリート体の上面に埋め殺し型枠を設けるとともに、梁主筋の両側面のかぶり厚さ部分に打ち継ぎ型枠を設けて、柱に打設されたコンクリートのノロが梁側に流出するのを防止した梁構造および梁の構築方法である。
具体的には、第１実施形態は、柱および柱梁接合部側にコンクリート打設する前に、梁端の梁底部分に先行コンクリート体が設けられた梁構造および梁の構築方法（図１〜図８）であり、第２実施形態は、柱部分にコンクリートを打設する際、梁底部分の先行コンクリート体を同時に構築する梁構造および梁の構築方法（図９〜図１３）である。
【００１９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る梁構造が適用された柱と梁との接合構造１の縦断面図である。図２は、図１のＡ−Ａ断面図である。
柱と梁との接合構造１は、鉄筋コンクリート造の柱２と、この柱２の柱梁接合部３に接合された鉄筋コンクリート造の梁４と、を備える。柱２は、梁４よりも高強度のコンクリートで形成されている。よって、柱と梁を異なる強度のコンクリートで構築する場合、強度区分上および施工管理上、柱と梁との接合面を明確にする必要があり、本発明の梁構造および梁の構築方法が有効となる。
【００２０】
柱２には、柱主筋１０および帯筋１１が配筋されている。
梁４には、梁鉄筋として、下側主筋２０と、上側主筋２１、および、せん断補強筋としてのあばら筋２２が配筋されている。
梁４は、梁端部の梁底部分に梁幅方向に延びてコンクリートを打設して形成された先行コンクリート体３０と、先行コンクリート体３０の上を打ち継ぎ面３１としてコンクリートを打設して形成された後打ちコンクリート体３２と、を備える。
打ち継ぎ面３１は、柱２の側面から所定寸法ｄだけ梁中央寄りの位置に設定されており、先行コンクリート体３０は、この打ち継ぎ面３１の梁中央側に形成されている。
【００２１】
先行コンクリート体３０は、柱２と同程度の強度のコンクリートで形成されており、この先行コンクリート体３０には、梁の下側主筋２０が打ち込まれている。この先行コンクリート体３０の高さ寸法をｈ、幅寸法をｗとする。
【００２２】
以下、柱と梁との接合構造１の構築方法について、図３のフローチャートを参照しながら説明する。
ステップＳ１では、図１および図２に示すように、梁４の梁端部の梁底部分に先行コンクリート体３０を構築し、先行コンクリート体３０の上に打ち継ぎ面３１を形成する。
ステップＳ２では、図１および図２に示すように、打ち継ぎ面３１の柱２および柱梁接合部３側にコンクリートを打設して、柱２および柱梁接合部３を構築する。
ステップＳ３では、図１および図２に示すように、打ち継ぎ面３１の梁４側にコンクリートを打設して、後打ちコンクリート体３２を構築する。このとき、後述の打ち継ぎ型枠５６を取り外した後に、打ち継ぎ面３１の梁４側にコンクリートを打設する（図８参照）。
【００２３】
以下、ステップＳ１の詳細な手順について、図４のフローチャートを参照しながら説明する。
初期状態として、柱主筋１０および帯筋１１が配筋されて、図示しない柱型枠が建て込んであるものとする。
ステップＳ１１では、図５および図６に示すように、梁底型枠４０を建て込んで、この梁底型枠４０の上に、梁鉄筋として、下側主筋２０、上側主筋２１、および、あばら筋２２を配筋する。
【００２４】
ステップＳ１２では、図５および図６に示すように、打ち継ぎ面３１に位置するあばら筋２２Ａの内側の領域に、ラス金網を取り付けて埋め殺し型枠５０とする。また、打ち継ぎ面３１の梁側のかぶり部分に、ダボ筋５１を取り付ける。このとき、ダボ筋５１の上端の高さ位置を、高さ寸法ｈよりも高くしておく。
【００２５】
ステップＳ１３では、図５および図６に示すように、打ち継ぎ面３１において、梁底および梁側のかぶり部分を覆うかぶり型枠５２を建て込む。また、打ち継ぎ面３１よりも寸法ｗだけ梁中央側の位置に、梁底および梁側のかぶり部分を覆うかぶり型枠５３を建て込む。さらに、梁側面となる位置でかぶり型枠５２とかぶり型枠５３との間に端面型枠５４を建て込む。
【００２６】
ステップＳ１４では、図５および図６に示すように、梁中央側のかぶり型枠５３の直上に、高さ寸法ｈまでラス金網を取り付けて埋め殺し型枠５５とする。この埋め殺し型枠５５は、かぶり型枠５３と面一となる。
【００２７】
ステップＳ１５では、図７に示すように、埋め殺し型枠５０、５５、かぶり型枠５２、５３、端面型枠５４で囲まれた空間に、柱２に用いるコンクリートと同程度の強度のコンクリートを打設して、上述の先行コンクリート体３０を構築する。
【００２８】
ステップＳ１６では、先行コンクリート体３０のコンクリートが硬化した後、図８に示すように、かぶり型枠５２、５３および端面型枠５４を脱型し、梁側面を覆う梁側型枠４１およびスラブの下面を覆うスラブ型枠４２、および柱梁接合部３を囲む柱梁接合部型枠４３を建て込む。
【００２９】
ステップＳ１７では、図８に示すように、先行コンクリート体３０に打ち込んだダボ筋５１に角パイプ等の長尺状の部材を取り付けて、打ち継ぎ型枠５６とする。これにより、先行コンクリート体３０の上であばら筋２２Ａの内側に埋め殺し型枠５０が取り付けられ、先行コンクリート体３０の上であばら筋２２Ａの外側つまりあばら筋２２Ａのかぶり部分に打ち継ぎ型枠５６が取り付けられて、埋め殺し型枠５０と打ち継ぎ型枠５６とで打ち継ぎ面３１が構成される。
【００３０】
本実施形態によれば、以下のような効果がある。
（１）梁端部の梁底部分に先行コンクリート体３０を設け、その後、この先行コンクリート体３０の上に打ち継ぎ面３１を設けて、この打ち継ぎ面３１の柱梁接合部側にコンクリート打設する。その後、打ち継ぎ面３１の梁４側にコンクリートを打設して、後打ちコンクリート体３２を設け、梁４を形成する。よって、柱２のコンクリートを打設時に、コンクリートのノロが梁４側に流出するのを防止できる。また、梁底の型枠を加工しないので、低コストとなる。また、先行コンクリート体３０とその上の鉛直打ち継ぎ面３１でコンクリートを容易に打ち継ぎできる。
【００３１】
（２）棒状の打ち継ぎ型枠５６をあばら筋２２Ａのかぶり部分から取り外した後に、打ち継ぎ面３１の梁４側にコンクリートを打設して後打ちコンクリート体３２を形成する。よって、梁４のかぶり部分と柱２との打ち継ぎ面３１に腐食する可能性のある金属を打ち込むことなく、梁４の下側主筋２０およびあばら筋２２について所定のかぶり厚さを確保できる。また、梁のかぶり厚さ部分に金属製の埋め殺し型枠が存置されないため、梁４のコンクリートの健全性を確保できる。
【００３２】
（３）埋め殺し型枠５０としてラス金網を設けたので、このラス金網を挟んだ両側のコンクリートの打ち継ぎ面に菱形状の凹凸面が形成されるから、ラス金網を挟んで打ち継がれた両側のコンクリート同士の一体性を高めることができる。
【００３３】
〔第２実施形態〕
図９は、本発明の第２実施形態に係る梁構造が適用された柱と梁との接合構造１Ａの縦断面図である。
本実施形態では、先行コンクリート体３０Ａの位置、および、柱と梁との接合構造１Ａの構築方法が、第１実施形態と異なる。
【００３４】
すなわち、先行コンクリート体３０Ａは、打ち継ぎ面３１の柱梁接合部３側に形成されている。また、この先行コンクリート体３０の高さ寸法はｈ１であり、梁の下側主筋２０は先行コンクリート体３０の上に載置されている。
【００３５】
以下、柱と梁との接合構造１Ａの構築方法について、図１０のフローチャートを参照しながら説明する。
ステップＳ２１では、図９に示すように、柱２と先行コンクリート体３０Ａとを一体に構築し、先行コンクリート体３０の上に打ち継ぎ面３１を形成する。
ステップＳ２２では、図９に示すように、打ち継ぎ面３１の柱梁接合部３側にコンクリートを打設する。
ステップＳ２３では、図９に示すように、打ち継ぎ面３１の梁４側にコンクリートを打設して、後打ちコンクリート体３２を構築する。このとき、打ち継ぎ型枠５６を取り外した後に、打ち継ぎ面３１の梁４側にコンクリートを打設する。
【００３６】
以下、ステップＳ２１の詳細な手順について、図１１のフローチャートを参照しながら説明する。
初期状態として、柱主筋１０および帯筋１１が配筋されて、図示しない柱型枠が建て込んであるものとする。
ステップＳ３１では、図１２に示すように、柱梁接合部型枠４３および梁底型枠４０を建て込むとともに、打ち継ぎ面３１の位置に、高さ寸法ｈ１のかぶり型枠５７を建て込む。また、打ち継ぎ面３１の梁側のかぶり部分に、ダボ筋５１を取り付ける。このとき、ダボ筋５１の上端の高さ位置を、かぶり型枠５７の高さ寸法ｈ１よりも高くしておく。
【００３７】
ステップＳ３２では、図１２に示すように、柱２のコンクリートを打設する際に、柱梁接合部型枠４３およびかぶり型枠５７に、かぶり型枠５７の上端の高さまでコンクリートを打ち込んで、柱２と上述の先行コンクリート体３０Ａとを一体に構築する。
ステップＳ３３では、図１３に示すように、かぶり型枠５７を脱型し、梁底型枠４０の上に、下側主筋２０、上側主筋２１、および、あばら筋２２を配筋する。このとき、下側主筋２０を、先行コンクリート体３０Ａの上に載置する。
【００３８】
ステップＳ３４では、図１３に示すように、打ち継ぎ面３１に位置するあばら筋２２Ａの内側の領域に、ラス金網を取り付けて埋め殺し型枠５０とする。
【００３９】
ステップＳ３５では、図１３に示すように、梁側面を覆う梁側型枠４１およびスラブの下面を覆うスラブ型枠４２を建て込む。
【００４０】
ステップＳ３６では、図１３に示すように、先行コンクリート体３０に打ち込んだダボ筋５１に角パイプ等の長尺状の部材を取り付けて、あばら筋２２Ａの外側に位置する打ち継ぎ型枠５６とする。これにより、先行コンクリート体３０の上であばら筋２２Ａの内側に埋め殺し型枠５０が取り付けられ、先行コンクリート体３０の上であばら筋２２Ａの外側つまりあばら筋２２Ａのかぶり部分に打ち継ぎ型枠５６が取り付けられて、埋め殺し型枠５０と打ち継ぎ型枠５６とで打ち継ぎ面３１が構成される。
【００４１】
本実施形態によれば、上述の（１）〜（３）に加えて、以下のような効果がある。
（４）柱２のコンクリートを打設する際、柱コンクリートの流出防止用の先行コンクリート体３０Ａのコンクリートも打設するので、第１実施形態のように、先行コンクリート体３０を構築するためだけにコンクリートを打設する必要がない。よって、第２実施形態によれば、第１実施形態に比べて、コンクリートの打設回数を低減することができ、作業効率を向上できる。
【００４２】
なお、本発明は前記実施形態に限定されるものではなく、本発明の目的を達成できる範囲での変形、改良等は本発明に含まれるものである。
例えば、上述の第１実施形態では、先行コンクリート体３０を柱２と同程度の強度のコンクリートで形成したが、これに限らず、先行コンクリート体３０を梁４と同程度の強度のコンクリートで形成してもよい。
【００４３】
上述の各実施形態では、柱２および柱梁接合部３側のコンクリートを打設した後、梁４側のコンクリートを打設して、柱２および柱梁接合部３側のコンクリートが梁４側に流出するのを防止するために先行コンクリート体３０を設けたが、これに限らない。すなわち、梁４側のコンクリートを打設した後、柱２および柱梁接合部３側のコンクリートを打設して、梁４側のコンクリートが柱２および柱梁接合部３側に流出するのを防止するために先行コンクリート体を設けてもよい。
【符号の説明】
【００４４】
１、１Ａ…柱と梁との接合構造  ２…柱  ３…柱梁接合部  ４…梁
１０…柱主筋  １１…帯筋
２０…下側主筋  ２１…上側主筋  ２２、２２Ａ…あばら筋（せん断補強筋）
３０、３０Ａ…先行コンクリート体  ３１…打ち継ぎ面  ３２…後打ちコンクリート体
４０…梁底型枠  ４１…梁側型枠  ４２…スラブ型枠  ４３…柱梁接合部型枠
５０…埋め殺し型枠  ５１…ダボ筋  ５２、５３…かぶり型枠
５４…端面型枠  ５５…埋め殺し型枠  ５６…打ち継ぎ型枠  ５７…かぶり型枠
【図１】
2018127804.tif 000003
【図２】
2018127804.tif 000004
【図３】
2018127804.tif 000005
【図４】
2018127804.tif 000006
【図５】
2018127804.tif 000007
【図６】
2018127804.tif 000008
【図７】
2018127804.tif 000009
【図８】
2018127804.tif 000010
【図９】
2018127804.tif 000011
【図１０】
2018127804.tif 000012
【図１１】
2018127804.tif 000013
【図１２】
2018127804.tif 000014
【図１３】
2018127804.tif 000015